(57)【要約】【課題】低コストで効果的に増幅回路の出力電圧の補正を行うことができる補正装置を提供する。【解決手段】  電力測定システム１は、入力電圧を導く電路２１を開閉するとともに、入力端子５ａ、１６ａを開放した状態とするか、又は入力端子５ａに予め定められた所定電圧を入力するかを切り替え可能なスイッチ８、１０と、第１状態である第１増幅回路５において、各スイッチによって入力電圧が切断されかつ入力端子５ａが開放された状態で出力する第１補正用電圧値の初期値、及び各スイッチによって入力電圧が切断されかつ所定電圧が入力された状態で出力する第２補正用電圧値の初期値を取得するとともに、第２状態である第１増幅回路５において、両補正用電圧値を取得する取得部４ａと、各補正用電圧値に基づいて、第２状態である第１増幅回路５が出力する出力電圧に含まれる誤差を演算する演算部４ｂと、前記誤差に基づいて、第１増幅回路５が入力電圧に応じて出力する出力電圧を補正する補正処理部４ｃとを備えている。【選択図】図１
2015169487.tif 000002
【特許請求の範囲】
【請求項１】
入力電圧を増幅する増幅回路の出力電圧を補正する補正装置であって、
前記増幅回路の入力端子に前記入力電圧を導く電路を開閉するとともに、前記入力端子を開放した状態とするか、又は前記入力端子に予め定められた所定電圧を入力するかを切り替え可能なスイッチと、
第１状態である前記増幅回路において、前記スイッチによって前記入力電圧が切断されかつ前記入力端子が開放された状態で出力する第１電圧、及び前記スイッチによって前記入力電圧が切断されかつ前記所定電圧が入力された状態で出力する第２電圧を取得するとともに、前記第１状態における時間タイミングと異なる時間タイミングの第２状態である前記増幅回路において、前記第１電圧、及び前記第２電圧を取得する取得部と、
前記取得部が取得した前記第１状態及び前記第２状態それぞれにおける第１電圧及び第２電圧に基づいて、前記第２状態である前記増幅回路が出力する前記出力電圧に含まれる、前記第１状態である前記増幅回路の出力電圧を基準としたときの誤差を演算する演算部と、
前記誤差に基づいて、前記増幅回路が前記入力電圧に応じて出力する前記出力電圧を補正する補正処理部と、
を備えている補正装置。
【請求項２】
前記補正処理部は、前記誤差として、下記式（１）に表される、前記増幅回路に起因する誤差値Ｖｏｆｆｓｅｔ，ｅｒｒを求めるとともに、下記式（２）に表される、前記増幅回路に与えられる基準電圧の変動に起因する誤差値Ｖｒｅｆ，ｅｒｒを求め、前記出力電圧をＶｏｕｔ、前記入力電圧をＶｉｎとしたとき、下記式（３）に基づいて、前記出力電圧を補正する請求項１に記載の補正装置。
Ｖｏｆｆｓｅｔ，ｅｒｒ＝
（ΔＶｏｎ−ΔＶｏｆｆ）／（（Ｒ２／Ｒ１）−１）
・・・（１）
Ｖｒｅｆ，ｅｒｒ＝
（ΔＶｏｎ−ΔＶｏｆｆ）／（１−（Ｒ２／Ｒ１））
・・・（２）
式（１）及び（２）中、ΔＶｏｎは、前記第２状態における前記第２電圧と、前記第１状態における第２電圧との差、ΔＶｏｆｆは、前記第２状態における前記第１電圧と、前記第１状態における第１電圧との差、Ｒ１は前記増幅回路の入力抵抗の抵抗値、Ｒ２は、前記増幅回路の帰還抵抗の抵抗値である。
Ｖｏｕｔ＝（Ｒ２／Ｒ１）×（Ｖｉｎ＋Ｖｏｆｆｓｅｔ＋Ｖｏｆｆｓｅｔ，ｅｒｒ）
＋Ｖｒｅｆ＋Ｖｒｅｆ，ｅｒｒ    ・・・（３）
式（３）中、Ｖｏｆｆｓｅｔは、下記式（４）で表される前記増幅回路のオフセット電圧、Ｖｒｅｆは、下記式（５）で表される前記第１状態である前記増幅回路に与えられる基準電圧である。
Ｖｏｆｆｓｅｔ＝（（第２状態における第２電圧−第２状態における第１電圧）−
（Ｒ２／Ｒ１）×Ｖｉｎｔ）／（（Ｒ２／Ｒ１）−１）    ・・・（４）
Ｖｒｅｆ＝第１状態における第１電圧−Ｖｏｆｆｓｅｔ          ・・・（５）
式（４）中、Ｖｉｎｔは、前記所定電圧である。
【請求項３】
前記取得部に、前記第１状態における前記第１電圧及び前記第２電圧を取得させた後、前記第２状態における前記第１電圧及び前記第２電圧を繰り返して取得させるとともに、前記第２状態における前記第１電圧及び前記第２電圧を取得する毎に前記演算部に前記誤差を演算させて当該誤差を更新させる制御部をさらに備え、
前記制御部は、過去の前記第１電圧及び前記第２電圧を取得したときの前記増幅回路の温度を基準とした温度変化に応じて、前記第２状態における前記第１電圧及び前記第２電圧を取得し前記誤差を更新するタイミングを調整する請求項１又は請求項２に記載の補正装置。
【請求項４】
前記取得部に、前記第１状態における前記第１電圧及び前記第２電圧を取得させた後、前記第２状態における前記第１電圧及び前記第２電圧を繰り返して取得させるとともに、前記第２状態における前記第１電圧及び前記第２電圧を取得する毎に前記演算部に前記誤差を演算させて当該誤差を更新させる制御部をさらに備え、
前記制御部は、過去の前記第１電圧及び前記第２電圧を取得してから経過した経過時間に応じて、前記第２状態における前記第１電圧及び前記第２電圧を取得し前記誤差を更新するタイミングを調整する請求項１又は請求項２に記載の補正装置。
【請求項５】
増幅回路と、請求項１〜４のいずれか一項に記載の補正装置と、を備えた電圧検出装置。
【請求項６】
請求項５に記載の電圧検出装置を備えた電力測定システム。
【発明の詳細な説明】
【技術分野】
【０００１】
本発明は、増幅回路等の出力電圧の補正を行うための補正装置、これを用いた電圧検出装置、電力測定システムに関するものである。
【背景技術】
【０００２】
近年、電気事業者による商用電源からの電力供給以外に、太陽光発電システム等の外部電源を接続し、商用電源を含む複数の外部電源によって電力供給を行う分散型電源システムが、一般住宅等にも普及しつつある。
上記のような電力供給形態では、各電源からの供給電力を管理する必要がある。このため、例えば、検出電圧を増幅するための反転増幅回路を備えた電力測定システムを各電源の電力供給路に接続し、各電源からの供給電力を測定することが考えられる（例えば、特許文献１参照）。
【先行技術文献】
【特許文献】
【０００３】
【特許文献１】特開２０１０−２７６３８６号公報
【発明の概要】
【発明が解決しようとする課題】
【０００４】
上記電圧検出装置は、反転増幅回路による電圧の出力特性に起因した検出誤差が生じる場合がある。
このため、検出誤差の要因となる反転増幅回路の出力特性を補償すべく、低コストで効果的に反転増幅回路の出力電圧を補正する必要性がある。
【０００５】
本発明はこのような事情に鑑みてなされたものであり、低コストで効果的に増幅回路の出力電圧の補正を行うことができる補正装置、及びこれを用いた電圧検出装置、電力測定装置を提供することを目的とする。
【課題を解決するための手段】
【０００６】
本発明に係る補正装置は、入力電圧を増幅する増幅回路の出力電圧を補正する補正装置であって、前記増幅回路の入力端子に前記入力電圧を導く電路を開閉するとともに、前記入力端子を開放した状態とするか、又は前記入力端子に予め定められた所定電圧を入力するかを切り替え可能なスイッチと、第１状態である前記増幅回路において、前記スイッチによって前記入力電圧が切断されかつ前記入力端子が開放された状態で出力する第１電圧、及び前記スイッチによって前記入力電圧が切断されかつ前記所定電圧が入力された状態で出力する第２電圧を取得するとともに、前記第１状態における時間タイミングと異なる時間タイミングの第２状態である前記増幅回路において、前記第１電圧、及び前記第２電圧を取得する取得部と、前記取得部が取得した前記第１状態及び前記第２状態それぞれにおける第１電圧及び第２電圧に基づいて、前記第２状態である前記増幅回路が出力する前記出力電圧に含まれる、前記第１状態である前記増幅回路の出力電圧を基準としたときの誤差を演算する演算部と、前記誤差に基づいて、前記増幅回路が前記入力電圧に応じて出力する前記出力電圧を補正する補正処理部と、を備えている。
【０００７】
また、本発明に係る電圧検出装置は、増幅回路と、上記補正装置と、を備えている。
【０００８】
また、本発明に係る電力測定システムは、上記電圧検出装置を備えている。
【０００９】
また、入力電圧を増幅する増幅回路の出力電圧を補正する処理をコンピュータに実行させるためのコンピュータプログラムは、コンピュータに第１状態である前記増幅回路において、前記増幅回路の入力端子に前記入力電圧を導く電路を開閉するとともに、前記入力端子を開放した状態とするか、又は前記入力端子に予め定められた所定電圧を入力するかを切り替え可能なスイッチによって前記入力電圧が切断されかつ前記入力端子が開放された状態で出力する第１電圧、及び前記スイッチによって前記入力電圧が切断されかつ前記所定電圧が入力された状態で出力する第２電圧を取得するステップと、前記第１状態における時間タイミングと異なる時間タイミングの第２状態である前記増幅回路において、前記第１電圧、及び前記第２電圧を取得するステップと、前記第１状態及び前記第２状態それぞれにおける第１電圧及び第２電圧に基づいて、前記第２状態である前記増幅回路が出力する前記出力電圧に含まれる、前記第１状態である前記増幅回路の出力電圧を基準としたときの誤差を演算するステップと、前記誤差に基づいて、前記増幅回路が前記入力電圧に応じて出力する前記出力電圧を補正するステップとを実行させるためのものである。
【発明の効果】
【００１０】
本発明によれば、低コストで効果的に増幅回路の出力電圧の補正を行うことができる。
【図面の簡単な説明】
【００１１】
【図１】実施形態に係る電力測定システムを示すブロック図である。
【図２】電圧検出部が備えている第１増幅回路及び第１基準電源の詳細を示す図である。
【図３】制御装置が行う補正処理の手順を示すフローチャートである。
【図４】制御装置が行う補正用電圧値の更新（初期値の取得）処理の手順を示すフローチャートである。
【発明を実施するための形態】
【００１２】
［本願発明の実施形態の説明］
電圧検出装置等に用いられる増幅回路は、上述のように出力電圧の出力特性によって、検出電圧に誤差を生じさせる場合がある。
例えば、上記特許文献１に記載の電圧検出器では、入力電圧を所定周期で変化させ、その変化の前後における出力電圧の差分を求めて、増幅回路に用いられているオペアンプのオフセット電圧に起因する誤差を抑制し、検出電圧の精度を高めることが提案されている。
【００１３】
一方、増幅回路に用いられるオペアンプは、温度に応じて出力電圧に変動が生じることがあり、この出力電圧の変動によっても検出電圧に誤差を生じさせることがある。
しかし、上記特許文献１に記載の電圧検出器では、温度変化に起因する出力電圧の変動については抑制することができない。
この温度変化に応じた出力電圧の変動については、増幅回路を構成する各部に温度に対する特性変化が少ない精度の高い部品を用いることで抑圧することが可能であるが、コスト面で不利となる。
本願発明者は、この点に着目して本願発明を完成させた。
【００１４】
まず最初に本願発明の実施形態の内容を列記して説明する。
（１）本発明の一実施形態である補正装置は、入力電圧を増幅する増幅回路の出力電圧を補正する補正装置であって、前記増幅回路の入力端子に前記入力電圧を導く電路を開閉するとともに、前記入力端子を開放した状態とするか、又は前記入力端子に予め定められた所定電圧を入力するかを切り替え可能なスイッチと、第１状態である前記増幅回路において、前記スイッチによって前記入力電圧が切断されかつ前記入力端子が開放された状態で出力する第１電圧、及び前記スイッチによって前記入力電圧が切断されかつ前記所定電圧が入力された状態で出力する第２電圧を取得するとともに、前記第１状態における時間タイミングと異なる時間タイミングの第２状態である前記増幅回路において、前記第１電圧、及び前記第２電圧を取得する取得部と、前記取得部が取得した前記第１状態及び前記第２状態それぞれにおける第１電圧及び第２電圧に基づいて、前記第２状態である前記増幅回路が出力する前記出力電圧に含まれる、前記第１状態である前記増幅回路の出力電圧を基準としたときの誤差を演算する演算部と、前記誤差に基づいて、前記増幅回路が前記入力電圧に応じて出力する前記出力電圧を補正する補正処理部と、を備えている。
【００１５】
上記のように構成された補正装置によれば、第２状態の増幅回路が出力する出力電圧に含まれる、第１状態である増幅回路の出力電圧を基準としたときの誤差を演算するので、仮に、温度変化に応じて出力電圧に変動が生じたとしても、その出力電圧の変動に応じて精度よく補正することができる。
これにより、特に各部に出力精度の高い構成部品を用いることなく、補正の精度を高めることができ、この結果、低コストで効果的に増幅回路の出力電圧の補正を行うことができる。
【００１６】
（２）前記補正処理部は、前記誤差として、下記式（１）に表される、前記増幅回路に起因する誤差値Ｖｏｆｆｓｅｔ，ｅｒｒを求めるとともに、下記式（２）に表される、前記増幅回路に与えられる基準電圧の変動に起因する誤差値Ｖｒｅｆ，ｅｒｒを求め、前記出力電圧をＶｏｕｔ、前記入力電圧をＶｉｎとしたとき、下記式（３）に基づいて、前記出力電圧を補正することが好ましい。
Ｖｏｆｆｓｅｔ，ｅｒｒ＝
（ΔＶｏｎ−ΔＶｏｆｆ）／（（Ｒ２／Ｒ１）−１）
・・・（１）
Ｖｒｅｆ，ｅｒｒ＝
（ΔＶｏｎ−ΔＶｏｆｆ）／（１−（Ｒ２／Ｒ１））
・・・（２）
式（１）及び（２）中、ΔＶｏｎは、前記第２状態における前記第２電圧と、前記第１状態における第２電圧との差、ΔＶｏｆｆは、前記第２状態における前記第１電圧と、前記第１状態における第１電圧との差、Ｒ１は前記増幅回路の入力抵抗の抵抗値、Ｒ２は、前記増幅回路の帰還抵抗の抵抗値である。
Ｖｏｕｔ＝（Ｒ１／Ｒ１）×（Ｖｉｎ＋Ｖｏｆｆｓｅｔ＋Ｖｏｆｆｓｅｔ，ｅｒｒ）
＋Ｖｒｅｆ＋Ｖｒｅｆ，ｅｒｒ    ・・・（３）
式（３）中、Ｖｏｆｆｓｅｔは、下記式（４）で表される前記増幅回路のオフセット電圧、Ｖｒｅｆは、下記式（５）で表される前記第１状態である前記増幅回路に与えられる基準電圧である。
Ｖｏｆｆｓｅｔ＝（（第２状態における第２電圧−第２状態における第１電圧）−
（Ｒ２／Ｒ１）×Ｖｉｎｔ）／（（Ｒ２／Ｒ１）−１）    ・・・（４）
Ｖｒｅｆ＝第１電圧−Ｖｏｆｆｓｅｔ          ・・・（５）
式（４）中、Ｖｉｎｔは、前記所定電圧である。
【００１７】
上記式（１）〜（５）に基づいて誤差値を求めて出力電圧を補正することで、より精度よく補正を行うことができる、
【００１８】
（３）上記補正装置において、前記取得部に、前記第１状態における前記第１電圧及び前記第２電圧を取得させた後、前記第２状態における前記第１電圧及び前記第２電圧を繰り返して取得させるとともに、前記第２状態における前記第１電圧及び前記第２電圧を取得する毎に前記演算部に前記誤差を演算させて当該誤差を更新させる制御部をさらに備え、
前記制御部は、過去の前記第１電圧及び前記第２電圧を取得したときの前記増幅回路の温度を基準とした温度変化に応じて、前記第２状態における前記第１電圧及び前記第２電圧を取得し前記誤差を更新するタイミングを調整することが好ましい。
この場合、出力電圧の変動が顕著となるような温度変化が生じたとしても、その温度変化に応じた誤差に更新することができ、出力電圧を適切に補正することができる。
【００１９】
（４）また、前記取得部に、前記第１状態における前記第１電圧及び前記第２電圧を取得させた後、前記第２状態における前記第１電圧及び前記第２電圧を繰り返して取得させるとともに、前記第２状態における前記第１電圧及び前記第２電圧を取得する毎に前記演算部に前記誤差を演算させて当該誤差を更新させる制御部をさらに備え、
前記制御部は、過去の前記第１電圧及び前記第２電圧を取得してから経過した経過時間に応じて、前記第２状態における前記第１電圧及び前記第２電圧を取得し前記誤差を更新するタイミングを調整するように構成してもよい。
この場合、一定の期間が経過したときに誤差を更新することで、必要以上に誤差の更新を実行してしまうのを防止することができる。
【００２０】
（５）（６）また、本発明は、増幅回路と、上記（１）〜（４）のいずれかの補正装置と、を備えた電圧検出装置である。
また、本発明は、上記電圧検出装置を備えた電力測定システムである。
【００２１】
上記構成の電圧検出装置、及び電力測定システムによれば、特に各部に出力精度の高い構成部品を用いることなく、補正の精度を高めることができ、この結果、低コストで効果的に増幅回路の出力電圧の補正を行うことができる。
【００２２】
また、入力電圧を増幅する増幅回路の出力電圧を補正する処理をコンピュータに実行させるためのコンピュータプログラムは、コンピュータに第１状態である前記増幅回路において、前記増幅回路の入力端子に前記入力電圧を導く電路を開閉するとともに、前記入力端子を開放した状態とするか、又は前記入力端子に予め定められた所定電圧を入力するかを切り替え可能なスイッチによって前記入力電圧が切断されかつ前記入力端子が開放された状態で出力する第１電圧、及び前記スイッチによって前記入力電圧が切断されかつ前記所定電圧が入力された状態で出力する第２電圧を取得するステップと、前記第１状態における時間タイミングと異なる時間タイミングの第２状態である前記増幅回路において、前記第１電圧、及び前記第２電圧を取得するステップと、前記第１状態及び前記第２状態それぞれにおける第１電圧及び第２電圧に基づいて、前記第２状態である前記増幅回路が出力する前記出力電圧に含まれる、前記第１状態である前記増幅回路の出力電圧を基準としたときの誤差を演算するステップと、前記誤差に基づいて、前記増幅回路が前記入力電圧に応じて出力する前記出力電圧を補正するステップとを実行させるためのものである。
【００２３】
［本願発明の実施形態の詳細］
以下、好ましい実施形態について図面を参照しつつ説明する。
〔１．  電力測定システムの全体構成〕
図１は、実施形態に係る電力測定システムを示すブロック図である。図中、電力測定システム１は、例えば、商用電力系統が接続された太陽光発電システム等に用いられるものであり、商用電力系統から太陽光発電システムに電力を供給するための電力供給路に接続され、商用電力系統側から供給される電力を測定する機能を有している。
【００２４】
電力測定システム１は、前記電力供給路の電圧を検出するための電圧検出部２と、前記電力供給路の電流を検出するための電流検出部３と、当該電力測定システム１の各部を制御するための制御装置４とを備えている。
電圧検出部２及び電流検出部３は、それぞれ電力供給路の電圧及び電流に応じた電圧値を制御装置４に与える。制御装置４は、電圧検出部２及び電流検出部３から与えられた電圧値に基づいて、電力供給路の電圧及び電流を取得し、測定結果としての電力を出力する。
つまり、電圧検出部２及び制御装置４、並びに電流検出部３及び制御装置４は、検出した電圧値に基づいた出力を行う電圧検出装置を構成している。
【００２５】
電圧検出部２は、前記電力供給路で検出された電圧を増幅するための第１増幅回路５と、第１基準電源６とを備えている。
第１基準電源６は、予め所定の電圧に設定された基準電圧Ｖｒｅｆを発生させて第１増幅回路５に与える機能を有している。
【００２６】
第１増幅回路５には、第１基準電源６から基準電圧Ｖｒｅｆが与えられるとともに、電力供給路に接続されている抵抗Ｒａの後段の電圧が入力電圧Ｖｉｎとして与えられる。第１増幅回路５は、後述するように、入力電圧Ｖｉｎを増幅して出力電圧Ｖｏｕｔを出力するオペアンプを備えており、入力電圧Ｖｉｎを増幅した出力電圧ＶｏｕｔをＡ／Ｄ変換器（ＡＤＣ）７に与える。
【００２７】
第１増幅回路５は、ＡＤＣ７を介して制御装置４に接続されている。ＡＤＣ７は、第１増幅回路５が出力するアナログ信号の出力電圧Ｖｏｕｔをデジタル信号に変換し、デジタル信号の出力電圧Ｖｏｕｔを制御装置４に与える。
【００２８】
電圧検出部２は、第１増幅回路５の前段に設けられ、第１増幅回路５の入力端子５ａに入力電圧Ｖｉｎを導く電路２１を開閉する第１スイッチ８を備えている。
第１スイッチ８は、一端が入力端子５ａに接続され、他端が電力供給路のライン側に接続された抵抗Ｒａの後段に接続されており、電力供給路からの入力電圧Ｖｉｎを第１増幅回路５の前段で開閉する。
【００２９】
さらに、電圧検出部２は、第１スイッチ８と第１増幅回路５との間から分岐している分岐路９を介して接続されている第２スイッチ１０を備えている。第２スイッチ１０は、一端が分岐路９に接続されるとともに他端が接地されている。よって、第１スイッチ８が切断されているときに、第２スイッチ１０は、接続状態とされることで第１増幅回路５に対して０Ｖの電圧（所定電圧Ｖｉｎｔ）を与え、切断状態とされることで入力端子５ａを開放した状態とすることができる。
【００３０】
つまり、第１スイッチ８、及び第２スイッチ１０は、第１増幅回路５の入力端子５ａに入力電圧Ｖｉｎを導く電路２１を開閉するとともに、入力端子５ａを開放した状態とするか、又は入力端子５ａに予め定められた所定電圧Ｖｉｎｔを入力するかを切り替え可能なスイッチを構成している。
第１スイッチ８及び第２スイッチ１０は、半導体スイッチ等により構成されており、制御装置４から与えられる制御信号に基づいて、開閉動作を実行する。
【００３１】
図２は、電圧検出部２が備えている第１増幅回路５及び第１基準電源６の詳細を示す図である。
図２に示すように、第１増幅回路５は、オペアンプ４０と、一端がオペアンプ４０の反転入力端子に接続されている入力抵抗４１と、オペアンプ４０の出力端子と反転入力端子との間に接続されている帰還抵抗４２とを備えており、反転増幅回路を構成している。
入力抵抗４１は、他端が第１増幅回路５の入力端子５ａを介して、第１スイッチ８に接続されている。
【００３２】
第１基準電源６は、他端が電力供給路のライン側に接続された抵抗Ｒｂの後段から分岐し、抵抗４３を介して、オペアンプ４０の非反転入力端子に接続されている分岐路４４と、この分岐路４４における抵抗４３とオペアンプ４０との間に抵抗４５を介して接続されている定電圧ダイオード４６とによって構成されている。定電圧ダイオード４６は、カソード側が抵抗４５に接続され、アノード側が接地されている。これによって、定電圧ダイオード４６は、分岐路４４を通じてオペアンプ４０の非反転入力端子に与えられる電圧が、基準電圧Ｖｒｅｆとして設定されている電圧値で一定となるようにしている。
なお、分岐路４４は、第１スイッチ８による電路２１の開閉に連動して、開閉されるように構成されている。
【００３３】
図１に戻って、電流検出部３は、前記電力供給路の電流を検出するための電流センサ１５と、電流センサ１５が電流の検出結果として出力する電圧を増幅するための第２増幅回路１６と、第２基準電源１７と、第２増幅回路１６の入力端子１６ａに入力電圧Ｖｉｎを導く電路２２を開閉する第３スイッチ１８と、第４スイッチ１９とを備えている。
【００３４】
第２増幅回路１６には、電流センサ１５が前記電力供給路の電流に応じて出力する電圧出力が入力電圧Ｖｉｎとして与えられる。第２増幅回路１６は、この入力電圧Ｖｉｎを増幅した出力電圧ＶｏｕｔをＡ／Ｄ変換器（ＡＤＣ）２０に与える。
【００３５】
第２増幅回路１６は、ＡＤＣ２０を介して制御装置４に接続されている。ＡＤＣ２０は、第２増幅回路１６が出力するアナログ信号の出力電圧Ｖｏｕｔをデジタル信号に変換し、デジタル信号の出力電圧Ｖｏｕｔを制御装置４に与える。
【００３６】
電流検出部３が有する、第２増幅回路１６、第２基準電源１７、第３スイッチ１８、及び第４スイッチ１９は、電圧検出部２が有する、第１増幅回路５、第１基準電源６、第１スイッチ８、及び第２スイッチ１０と同様の構成とされている。
つまり、電流検出部３は、増幅の対象が、電力供給路の電流の検出結果としての入力電圧Ｖｉｎであること以外、電圧検出部２と同様の構成である。よって、ここでは、電流検出部３に関する詳細な説明は省略する。
【００３７】
また、電力測定システム１は、第１増幅回路５及び第２増幅回路１６の温度の変化を検出するための温度センサ２５を備えている。この温度センサ２５は、第１増幅回路５及び第２増幅回路１６の温度を検出する。例えば、第１増幅回路５及び第２増幅回路１６が同じ回路基板上に実装されている場合には、温度センサ２５は、その回路基板の温度を検出するものであってもよいし、当該回路基板を収容する筐体内の温度又はこの筐体の温度を検出するものであってもよい。つまり、温度センサ２５は、第１増幅回路５及び第２増幅回路１６が動作することに伴い発熱したときの相対的な温度変化を検出することが可能なセンサであればよい。
温度センサ２５は、その検出結果を制御装置４に与える。
【００３８】
制御装置４は、電圧検出部２及び電流検出部３それぞれから与えられる出力電圧Ｖｏｕｔに基づいて、前記電力供給路の電圧及び電流を求める機能を有している。
また、制御装置４は、電圧検出部２及び電流検出部３それぞれから与えられる出力電圧Ｖｏｕｔを補正する処理である補正処理に関する機能も有している。つまり、制御装置４は、与えられる出力電圧Ｖｏｕｔに対して補正処理を行いつつ、補正処理後の出力電圧Ｖｏｕｔに基づいて、前記電力供給路の電圧及び電流を求める。
【００３９】
制御装置４は、補正処理に関する機能を実現するための機能部として、取得部４ａと、演算部４ｂと、補正処理部４ｃと、補正処理に用いられるカウンタ４ｄと、補正処理に関する制御を行う制御部４ｅとを有している。
【００４０】
取得部４ａは、電圧検出部２及び電流検出部３の各スイッチ８，１０，１８，１９の開閉に応じて第１増幅回路５及び第２増幅回路１６から出力される補正用電圧値を取得する機能を有している。なお、補正用電圧値とは、第１増幅回路５及び第２増幅回路１６から出力される出力電圧Ｖｏｕｔに含まれる誤差を演算するために必要な電圧値であり、各スイッチ８，１０，１８，１９の開閉に応じて出力される。
【００４１】
演算部４ｂは、取得部４ａが取得した前記補正用電圧値に基づいて、第１増幅回路５及び第２増幅回路１６から出力される出力電圧Ｖｏｕｔに含まれる誤差を演算する機能を有している。
補正処理部４ｃは、演算部４ｂが演算した誤差に基づいて、出力電圧Ｖｏｕｔを補正する機能を有している。
【００４２】
制御部４ｅは、電圧検出部２及び電流検出部３の各スイッチ８，１０，１８，１９の開閉を制御するための制御信号を出力することで、これら各スイッチ８，１０，１８，１９を制御する機能を有している。また、制御部４ｅは、各スイッチ８，１０，１８，１９を制御することによって第１増幅回路５及び第２増幅回路１６からの前記補正用電圧値を取得部４ａに取得させ、取得部４ａに補正用電圧値を取得させる毎に演算部４ｂに前記誤差を演算させて更新させる機能を有している。
さらに、制御部４ｅは、温度センサ２５及びカウンタ４ｄから与えられる情報に基づいて、第１増幅回路５及び第２増幅回路１６からの前記補正用電圧値を取得し、前記誤差を更新するタイミングを調整する機能を有している。
これら各部の機能の具体的な処理については、後に詳述する。
【００４３】
また、制御装置４には、上述のＡＤＣ７、２０や、温度センサ２５が接続されている他、制御装置４が実行する処理に必要な情報等を記憶するための記憶部３０と、当該制御装置４が求めた前記電力供給路の電圧及び電流を外部に出力するための出力部３１とが接続されている。出力部３１は、例えば、ディスプレイやプリンタ等の出力装置の他、通信によって表示装置を備えた端末装置等に送信して出力するものを含む。
【００４４】
制御装置４が有する機能部である取得部４ａ、演算部４ｂ、補正処理部４ｃ、カウンタ４ｄ、及び制御部４ｅは、その機能の一部または全部が、ハードウェア回路によって構成されていてもよいし、その機能の一部または全部が、コンピュータプログラムによって実現されていてもよい。各部の機能の一部または全部がコンピュータプログラムによって実現される場合、制御装置４は、コンピュータを含み、コンピュータによって実行されるコンピュータプログラムは、記憶部３０に記憶される。
次に、制御装置４が行う補正処理について説明する。
【００４５】
〔２．  補正処理について〕
図３は、制御装置４が行う補正処理の手順を示すフローチャートである。制御装置４は、電圧検出部２及び電流検出部３の両方に対して補正処理を行う。また、その手順は同様なので、ここでは、電圧検出部２のみについて説明する。
【００４６】
本システム１の電源がＯＮ状態とされると（ステップＳ１）、制御装置４の制御部４ｅは、まず、補正用電圧値の更新（初期値の取得）処理を行う（ステップＳ２）。ここでは、制御装置４は、未だ補正用電圧値を取得していない状態であり、制御部４ｅは、補正用電圧値の初期値を取得する。
【００４７】
図４は、制御部４ｅが行う補正用電圧値の更新（初期値の取得）処理（図３中、ステップＳ２）の手順を示すフローチャートである。
制御部４ｅは、まず、第１スイッチ８をＯＦＦ状態とし（ステップＳ２０）、さらに、第２スイッチ１０をＯＦＦ状態とする（ステップＳ２１）。
このとき、第１増幅回路５（図２）は、第１スイッチ８及び第２スイッチ１０によって、入力電圧Ｖｉｎが切断されかつ入力端子５ａが開放状態とされ、第１基準電源６から基準電圧Ｖｒｅｆのみが与えられた状態となる。
この状態で第１増幅回路５が出力する電圧を、以下、第１補正用電圧値Ｖｏｆｆ（ｎ）（但し、ｎは自然数）という。
【００４８】
制御部４ｅは、この状態で、所定時間経過するのを待った後（ステップＳ２２）、第１増幅回路５から出力される第１補正用電圧値Ｖｏｆｆ（ｎ）の初期値を取得部４ａに取得させる。このステップＳ２２における所定時間は、電圧値が安定して出力されるまでに必要な時間に設定される。なお、ｎは、補正用電圧値の更新処理を行うごとにインクリメントされる数値であり、補正用電圧値の初期値については、ｎ＝１に設定される。
制御部４ｅは、取得した第１補正用電圧値の初期値Ｖｏｆｆ（１）（第１電圧）を取得し、記憶部３０に記憶する（ステップＳ２３）。
【００４９】
第１補正用電圧値の初期値Ｖｏｆｆ（１）を取得した制御部４ｅは、次いで、第２スイッチ１０をＯＮ状態とする（ステップＳ２４）。
このとき、第１増幅回路５は、第１スイッチ８及び第２スイッチ１０によって、入力電圧Ｖｉｎが切断されかつ入力端子５ａに所定電圧Ｖｉｎｔが入力された状態となる。
この状態で第１増幅回路５が出力する電圧を、以下、第２補正用電圧値Ｖｏｎ（ｎ）（但し、ｎは自然数）という。
【００５０】
制御部４ｅは、この状態で、所定時間経過するのを待った後（ステップＳ２５）、第１増幅回路５から出力される第２補正用電圧値Ｖｏｎ（ｎ）の初期値を取得部４ａに取得させる。このステップＳ２５における所定時間は、電圧値が安定して出力されるまでに必要な時間に設定される。
制御部４ｅは、取得した第２補正用電圧値の初期値Ｖｏｎ（１）（第２電圧）を取得し、記憶部３０に記憶する（ステップＳ２６）。
【００５１】
次いで、制御部４ｅは、取得した各補正用電圧値の初期値Ｖｏｆｆ（１）、Ｖｏｎ（１）に基づいて、第１増幅回路５が入力電圧Ｖｉｎに応じて出力する出力電圧Ｖｏｕｔに含まれる誤差値を演算部４ｂに演算させ、演算部４ｂが演算した誤差値を取得し、記憶部３０に記憶する（ステップＳ２７）。
なお、演算部４ｂが行う誤差値等の演算については、後に説明する。
【００５２】
その後、制御部４ｅは、第２スイッチ１０をＯＦＦ状態とし、さらに第１スイッチ８をＯＮ状態とし（ステップＳ２８）、ステップＳ２（図２）に戻る。
【００５３】
第２スイッチ１０がＯＦＦ状態、第１スイッチ８がＯＮ状態の場合、電圧検出部２は、電力供給路の電圧を入力電圧Ｖｉｎとして受け付けて検出し、出力電圧Ｖｏｕｔとして制御装置４に与える。つまり、本システム１は、この状態で、電力供給路の電圧の測定を実行する。
【００５４】
以上のようにして制御部４ｅは、第１補正用電圧値の初期値、及び第２補正用電圧値の初期値を取得し、電力供給路の電圧の測定を開始する。
なお、ステップＳ２において取得される第１補正用電圧値の初期値、及び第２補正用電圧値の初期値は、本実施形態のように、本システム１の電源がＯＮ状態とされた直後等、第１増幅回路５の温度がその動作によって上昇していない状態（第１状態）において取得部４ａによって検出される。
【００５５】
図３を参照して、ステップＳ２による補正用電圧値の初期値の取得を終えた制御部４ｅは、温度センサ２５が検出する第１増幅回路５の現状の温度を取得する（ステップＳ３）。
【００５６】
次いで、制御部４ｅは、直近に（ステップＳ３にて）取得した第１増幅回路５の温度を基準温度Ｔｓに設定し、さらにカウンタ４ｄのカウンタ値Ｃを「０」にリセットする（ステップＳ４）。
【００５７】
制御部４ｅは、ステップＳ５に進み、温度センサ２５が検出する第１増幅回路５の現状の温度を取得する（ステップＳ５）。
次いで、制御部４ｅは、基準温度Ｔｓと、現状の温度との差であるΔＴを求めるとともに、カウンタ４ｄのカウンタ値Ｃを参照し、ΔＴが予め設定された温度幅ｔ１以上であるか、又は、カウンタ値Ｃが予め設定された値ｃ１であるか否かを判定する（ステップＳ６）。
【００５８】
いずれの条件も満たさない場合、制御部４ｅは、ステップＳ７に進み、第１増幅回路５が出力する出力電圧Ｖｏｕｔを取得する（ステップＳ７）。
さらに、制御部４ｅは、取得した出力電圧Ｖｏｕｔに対して、誤差値を用いた補正を行い、補正後の出力電圧Ｖｏｕｔを求める（ステップＳ８）。
【００５９】
ここで、電圧検出部２が出力する出力電圧Ｖｏｕｔは、下記式（１０）のように表される。
Ｖｏｕｔ＝（Ｒ２／Ｒ１）×（Ｖｉｎ＋Ｖｏｆｆｓｅｔ＋Ｖｏｆｆｓｅｔ，ｅｒｒ）＋
Ｖｒｅｆ＋Ｖｒｅｆ，ｅｒｒ・・・（１０）
【００６０】
式（１０）中、Ｒ１は第１増幅回路５の入力抵抗４１の抵抗値、Ｒ２は、第１増幅回路５の帰還抵抗４２の抵抗値であり、（Ｒ２／Ｒ１）は、第１増幅回路５の増幅率である。また、Ｖｏｆｆｓｅｔは、第１増幅回路５のオフセット電圧である。
Ｖｏｆｆｓｅｔ，ｅｒｒは、温度変化によって第１増幅回路５に生じる出力変動（温度ドリフト）に起因する誤差値、Ｖｒｅｆ，ｅｒｒは、第１基準電源６に生じる出力変動に起因する基準電圧Ｖｒｅｆの誤差値である。
【００６１】
オフセット電圧Ｖｏｆｆｓｅｔ、誤差値Ｖｏｆｆｓｅｔ，ｅｒｒ、及び誤差値Ｖｒｅｆ，ｅｒｒは、演算部４ｂによって求められる。これら各値の求め方については、後に詳述する。
【００６２】
上記式（１０）のように、電圧検出部２が出力する出力電圧Ｖｏｕｔには、主に、第１増幅回路５の温度ドリフトに起因する誤差値、及び第１基準電源６に起因する基準電圧Ｖｒｅｆの誤差値が含まれている。
【００６３】
制御部４ｅは、上記式（１０）に基づいて、下記式（１１）に示すように、補正後の出力電圧Ｖｏｕｔ´を求める。
補正後の出力電圧Ｖｏｕｔ´＝（Ｒ２／Ｒ１）×Ｖｉｎ＝
Ｖｏｕｔ−Ｖｒｅｆ−Ｖｒｅｆ，ｅｒｒ−
（Ｒ２／Ｒ１）（Ｖｏｆｆｓｅｔ＋Ｖｏｆｆｓｅｔ，ｅｒｒ）
・・・（１１）
【００６４】
制御装置４は、上記補正後の出力電圧Ｖｏｕｔ´に基づいて、電力供給路の電圧を求め、出力部３１を通じて出力する。
【００６５】
次いで、制御部４ｅは、カウンタ４ｄのカウンタ値Ｃに「１」を加えて（ステップＳ９）、再度ステップＳ５に戻る（ステップＳ５）。よって、制御部４ｅは、ステップＳ６において、ΔＴが予め設定された温度幅ｔ１以上であるか、又は、カウンタ値Ｃが予め設定された値ｃ１であると判定されるまで、ステップＳ５〜Ｓ９の処理を繰り返す。
【００６６】
ステップＳ６において、ΔＴが予め設定された温度幅ｔ１以上であるか、又は、カウンタ値Ｃが予め設定された値ｃ１であると判定すると、制御部４ｅは、ステップＳ１０に進み、補正用電圧値の更新処理を行う。
【００６７】
この補正用電圧値の更新処理は、上記ステップＳ２における補正用電圧値の更新（初期値の取得）処理と同様であり、図４に示すフローチャートに従って実行される。
【００６８】
図４に示すように、制御部４ｅは、第１スイッチ８はＯＦＦ状態とする（ステップＳ２０）。これにより、電圧検出部２に対する入力電圧Ｖｉｎの入力が切断されるので、本システム１は、電力供給路の電圧測定を一時的に停止する。
さらに制御部４ｅは、第２スイッチ１０もＯＦＦ状態とする（ステップＳ２１）。
【００６９】
制御部４ｅは、この状態で、所定時間経過するのを待った後（ステップＳ２２）、第１増幅回路５から出力される第１補正用電圧値Ｖｏｆｆ（ｎ）を取得部４ａに取得させる。
なお、上述のように、ｎは、補正用電圧値の更新処理を行うごとにインクリメントされる数値であり、ここで行われる更新処理は、初期値ではないので、ｎは、２以上の自然数ｍに設定される。
制御部４ｅは、取得部４ａが取得した第１補正用電圧値Ｖｏｆｆ（ｍ）を記憶部３０に記憶する（ステップＳ２３）。なお、すでに、記憶部３０に記憶に第１補正用電圧値Ｖｏｆｆ（ｍ）が記憶されている場合、制御部４ｅは、新たに取得した第１補正用電圧値Ｖｏｆｆ（ｍ）に更新する。
【００７０】
第１補正用電圧値Ｖｏｆｆ（ｍ）を取得又は更新した制御部４ｅは、次いで、第２スイッチ１０をＯＮ状態とする（ステップＳ２４）。
【００７１】
制御部４ｅは、この状態で、所定時間経過するのを待った後（ステップＳ２５）、第１増幅回路５から出力される第２補正用電圧値Ｖｏｎ（ｍ）を取得部４ａに取得させる。
制御部４ｅは、取得部４ａが取得した第２補正用電圧値Ｖｏｎ（ｍ）を記憶部３０に記憶する（ステップＳ２６）。なお、すでに、記憶部３０に記憶に第２補正用電圧値Ｖｏｎ（ｍ）が記憶されている場合、制御部４ｅは、新たに取得した第２補正用電圧値Ｖｏｎ（ｍ）に更新する。
【００７２】
次いで、制御部４ｅは、取得した第１補正用電圧値Ｖｏｆｆ（ｍ）及び第２補正用電圧値Ｖｏｎ（ｍ）に加え、第１補正用電圧値の初期値Ｖｏｆｆ（１）及び第２補正用電圧値の初期値Ｖｏｎ（１）に基づいて、第１増幅回路５が入力電圧Ｖｉｎに応じて出力する出力電圧Ｖｏｕｔに含まれる誤差値を演算部４ｂに演算させ、演算部４ｂが演算した誤差値を取得し、記憶部３０に記憶する（ステップＳ２７）。
【００７３】
演算部４ｂは、各補正用電圧値に基づいて、誤差値として、上述の誤差値Ｖｏｆｆｓｅｔ，ｅｒｒ、及び誤差値Ｖｒｅｆ，ｅｒｒを求める。また、演算部４ｂは、合わせてオフセット電圧Ｖｏｆｆｓｅｔ、及び基準電圧Ｖｒｅｆを求める。
【００７４】
演算部４ｂは、下記式（１２）、（１３）に基づいて、誤差値Ｖｏｆｆｓｅｔ，ｅｒｒ、及び誤差値Ｖｒｅｆ，ｅｒｒを求める。
Ｖｏｆｆｓｅｔ，ｅｒｒ＝
（ΔＶｏｎ−ΔＶｏｆｆ）／（（Ｒ２／Ｒ１）−１）
・・・（１２）
Ｖｒｅｆ，ｅｒｒ＝
（ΔＶｏｎ−ΔＶｏｆｆ）／（１−（Ｒ２／Ｒ１））
・・・（１３）
【００７５】
式（１２）及び（１３）中、ΔＶｏｎは、下記式（１４）に示すように、第２補正用電圧値Ｖｏｎ（ｍ）と、第２補正用電圧値の初期値Ｖｏｎ（１）との差、ΔＶｏｆｆは、下記式（１５）に示すように、第１補正用電圧値Ｖｏｆｆ（ｍ）と、第１補正用電圧値の初期値Ｖｏｆｆ（１）との差である。
ΔＶｏｆｆ＝Ｖｏｆｆ（ｍ）−Ｖｏｆｆ（１）    ・・・（１４）
ΔＶｏｎ  ＝Ｖｏｎ（ｍ）−Ｖｏｎ（１）        ・・・（１５）
【００７６】
さらに、演算部４ｂは、下記式（１６）、（１７）に基づいて、オフセット電圧Ｖｏｆｆｓｅｔ、及び基準電圧Ｖｒｅｆを求める。
Ｖｏｆｆｓｅｔ＝（（Ｖｏｎ（ｍ）−Ｖｏｆｆ（ｍ））−（Ｒ２／Ｒ１）×Ｖｉｎｔ）
／（（Ｒ２／Ｒ１）−１）    ・・・（１６）
Ｖｒｅｆ＝Ｖｏｆｆ（１）−Ｖｏｆｆｓｅｔ                          ・・（１７）
式（１６）中、Ｖｉｎｔは、前記所定電圧であり、本実施形態では、０Ｖである。
【００７７】
なお、上記ΔＶｏｆｆは、Ｖｏｆｆｓｅｔ，ｅｒｒと、Ｖｒｅｆ，ｅｒｒとの和であり、ΔＶｏｎは、Ｖｏｆｆｓｅｔ，ｅｒｒに（Ｒ２／Ｒ１）を乗算した値と、Ｖｒｅｆ，ｅｒｒとの和であり、上記式（１４）（１５）において、未知の数値は、Ｖｏｆｆｓｅｔ，ｅｒｒと、Ｖｒｅｆ，ｅｒｒなので、これら２式から、Ｖｏｆｆｓｅｔ，ｅｒｒと、Ｖｒｅｆ，ｅｒｒとを求めることができる。
【００７８】
また、ステップＳ２における補正用電圧値の更新処理（初期値の取得）においても、上記各式（１２）〜（１７）に基づいて誤差値を求めるが、ステップＳ２では、第１補正用電圧値の初期値Ｖｏｆｆ（１）及び第２補正用電圧値の初期値Ｖｏｎ（１）は取得されるが、第１補正用電圧値Ｖｏｆｆ（ｍ）及び第２補正用電圧値Ｖｏｎ（ｍ）は取得されない。よって、制御部４ｅは、ステップＳ２における誤差値の演算については、第１補正用電圧値の初期値Ｖｏｆｆ（１）及び第２補正用電圧値の初期値Ｖｏｎ（１）を、第１補正用電圧値Ｖｏｆｆ（ｍ）及び第２補正用電圧値Ｖｏｎ（ｍ）として用い、誤差値を求める。
【００７９】
演算部４ｂは、上記各式（１２）〜（１７）に基づいて、誤差値Ｖｏｆｆｓｅｔ，ｅｒｒ、及び誤差値Ｖｒｅｆ，ｅｒｒを求めるとともに、オフセット電圧Ｖｏｆｆｓｅｔ、及び基準電圧Ｖｒｅｆを求めると、これら求めた各値を記憶部３０に記憶する。なお、すでに、記憶部３０に各値が記憶されている場合、制御部４ｅは、新たに求めた各値に更新する。
【００８０】
次いで、制御部４ｅは、第２スイッチ１０をＯＦＦ状態とし、さらに第１スイッチ８をＯＮ状態とし（ステップＳ２８）、ステップＳ１０（図３）に戻る。
【００８１】
第２スイッチ１０をＯＦＦ状態、第１スイッチ８をＯＮ状態とすることで、制御部４ｅは、電圧検出部２による電力供給路の電圧の測定を再開する。
【００８２】
なお、ステップＳ１０において取得される第１補正用電圧値、及び第２補正用電圧値は、ステップＳ２において、第１補正用電圧値の初期値、及び第２補正用電圧値の初期値を取得し、本システム１の電源がＯＮ状態とされてから一定の期間が経過した後の状態（第２状態）において取得部４ａによって検出される。つまり、ステップＳ１０における第１増幅回路５の状態（第２状態）は、ステップＳ２での第１増幅回路５の状態（第１状態）とは互いに時間タイミングが異なっている。
【００８３】
図３に戻って、ステップＳ１０を終えると、制御部４ｅは、ステップＳ４に戻り、直近に取得した第１増幅回路５の温度を基準温度Ｔｓに設定し、さらにカウンタ４ｄのカウンタ値Ｃを「０」にリセットする（ステップＳ４）。
【００８４】
その後、制御部４ｅは、ステップＳ６において、ΔＴが予め設定された温度幅ｔ１以上であるか、又は、カウンタ値Ｃが予め設定された値ｃ１であると判定されるまで、ステップＳ５〜Ｓ９の処理を繰り返す。
【００８５】
ここで、ステップＳ６において、基準温度Ｔｓと、現状の温度との差であるΔＴの判定に用いられる温度幅ｔ１は、誤差値Ｖｏｆｆｓｅｔ，ｅｒｒ、及びＶｒｅｆ，ｅｒｒの値が許容可能な範囲を超えることが想定される温度幅の値に設定されている。
よって、制御部４ｅは、ΔＴが温度幅ｔ１よりも小さい場合は、誤差値Ｖｏｆｆｓｅｔ，ｅｒｒ、及びＶｒｅｆ，ｅｒｒが許容範囲であると判断し、ΔＴの値によっては、補正用電圧値の更新処理を実行しない。
一方、ΔＴが温度幅ｔ１以上である場合、誤差値Ｖｏｆｆｓｅｔ，ｅｒｒ、及びＶｒｅｆ，ｅｒｒが許容可能な範囲を超えるおそれがあるため、ステップＳ１０に進み、補正用電圧値の更新処理を実行する。
【００８６】
このように、本実施形態では、過去の第１電圧及び第２電圧を検出したときの第１増幅回路５の温度を基準とした温度変化であるΔＴに応じて、第１補正用電圧値Ｖｏｆｆ（ｍ）及び第２補正用電圧値Ｖｏｎ（ｍ）を取得部４ａに検出させて誤差値Ｖｏｆｆｓｅｔ，ｅｒｒ、及びＶｒｅｆ，ｅｒｒを更新するタイミングを調整する。
よってこの場合、出力電圧Ｖｏｕｔに含まれる誤差値によってその変動が顕著となるような温度変化が生じたとしても、その温度変化に応じた誤差値Ｖｏｆｆｓｅｔ，ｅｒｒ、及びＶｒｅｆ，ｅｒｒに更新することができ、出力電圧Ｖｏｕｔを適切に補正することができる。
【００８７】
また、ステップＳ６において、カウンタ値Ｓの判定に用いられる値ｃ１は、第１増幅回路５の経時変化によって、誤差値Ｖｏｆｆｓｅｔ，ｅｒｒ、Ｖｒｅｆ，ｅｒｒや、オフセット電圧Ｖｏｆｆｓｅｔの値が許容可能な範囲を超えることが想定される期間に相当する値に設定されている。
よって、制御部４ｅは、カウンタ値Ｃが値ｃ１よりも小さい場合は、誤差値Ｖｏｆｆｓｅｔ，ｅｒｒ、及びＶｒｅｆ，ｅｒｒが許容範囲であると判断し、カウンタ値Ｃの値によっては、補正用電圧値の更新処理を実行しない。
一方、カウンタ値Ｃが値ｃ１以上である場合、誤差値Ｖｏｆｆｓｅｔ，ｅｒｒ、及びＶｒｅｆ，ｅｒｒが許容可能な範囲を超えるおそれがあるため、ステップＳ１０に進み、補正用電圧値の更新処理を実行する。
【００８８】
このように、本実施形態では、過去の第１電圧及び第２電圧を検出を検出してから経過した経過時間に応じて、第１補正用電圧値Ｖｏｆｆ（ｍ）及び第２補正用電圧値Ｖｏｎ（ｍ）を取得部４ａに検出させて誤差値Ｖｏｆｆｓｅｔ，ｅｒｒ、及びＶｒｅｆ，ｅｒｒを更新するタイミングを調整する。
よってこの場合、一定の期間が経過したときに誤差値Ｖｏｆｆｓｅｔ，ｅｒｒ、及びＶｒｅｆ，ｅｒｒを更新することで、必要以上に各誤差値の更新を実行してしまうのを防止することができる。
【００８９】
以上のようにして、制御装置４は、電圧検出部２に対して補正処理を行う。また、制御装置４は、電流検出部３に対しても電圧検出部２と同様の手順で補正処理を行う。つまり、本実施形態の制御装置４及び各スイッチ８、１０、１８、１９は、第１増幅回路５及び第２増幅回路１６の出力電圧Ｖｏｕｔを補正する補正装置としての機能を有している。
本システム１は、上記補正処理を実行しつつ、電圧検出部２による電力供給路の電圧の測定、及び電流検出部３による電力供給路の電流の測定を行い、電力供給路の電力の測定を行う。
【００９０】
〔３．  効果について〕
本実施形態による電力測定システム１は、入力電圧Ｖｉｎを増幅する第１増幅回路５及び第２増幅回路１６の出力電圧Ｖｏｕｔを補正する補正装置を備えている。
この補正装置は、第１増幅回路５及び第２増幅回路１６の入力端子５ａ、１６ａに入力電圧Ｖｉｎを導く電路２１を開閉するとともに、入力端子５ａ、１６ａを開放した状態とするか、又は入力端子５ａ、１６ａに予め定められた所定電圧Ｖｉｎｔを入力するかを切り替え可能なスイッチ８、１０、１８、１９と、第１状態である第１増幅回路５及び第２増幅回路１６において、各スイッチによって入力電圧Ｖｉｎが切断されかつ入力端子５ａ、１６ａが開放された状態で出力する第１補正用電圧値（の初期値）Ｖｏｆｆ（１）、及び各スイッチによって入力電圧Ｖｉｎが切断されかつ所定電圧Ｖｉｎｔが入力された状態で出力する第２補正用電圧値（の初期値）Ｖｏｎ（１）を取得するとともに、第１状態における時間タイミングと異なる時間タイミングの第２状態である第１増幅回路５及び第２増幅回路１６において、第１補正用電圧値Ｖｏｆｆ（ｍ）、及び第２補正用電圧値Ｖｏｎ（ｍ）を取得する取得部４ａと、取得部４ａが取得した第１状態及び第２状態それぞれにおける各補正用電圧値に基づいて、第２状態である第１増幅回路５及び第２増幅回路１６が出力する出力電圧Ｖｏｕｔに含まれる、第１状態である第１増幅回路５及び第２増幅回路１６の出力電圧Ｖｏｕｔを基準としたときの誤差を演算する演算部４ｂと、前記誤差に基づいて、第１増幅回路５及び第２増幅回路１６が入力電圧Ｖｉｎに応じて出力する出力電圧Ｖｏｕｔを補正する補正処理部４ｃとを備えている。
【００９１】
上記構成の補正装置によれば、第２状態の第１増幅回路５及び第２増幅回路１６が出力する出力電圧Ｖｏｕｔに含まれる、第１状態である第１増幅回路５及び第２増幅回路１６の出力電圧Ｖｏｕｔを基準としたときの誤差値Ｖｏｆｆｓｅｔ，ｅｒｒ、Ｖｒｅｆ，ｅｒｒを演算するので、温度変化に応じて出力電圧Ｖｏｕｔに変動が生じたとしても、その出力電圧Ｖｏｕｔの変動に応じて精度よく補正することができる。
これにより、特に各部に出力精度の高い構成部品を用いることなく、補正の精度を高めることができ、この結果、低コストで効果的に第１増幅回路５及び第２増幅回路１６の出力電圧Ｖｏｕｔの補正を行うことができる。
【００９２】
〔４．  その他〕
なお、本発明は、上記各実施形態に限定されるものではない。
例えば、上記実施形態では、図３中、ステップＳ２において、第１補正用電圧値の初期値Ｖｏｆｆ（１）と、第２補正用電圧値の初期値Ｖｏｎ（１）とを、両スイッチ８、１０を制御することで取得したが、例えば、予め、第１補正用電圧値の初期値Ｖｏｆｆ（１）、及び第２補正用電圧値の初期値Ｖｏｎ（１）として適切な値を把握している場合には、これら値を予め、記憶部３０に記憶しておくことで、ステップＳ２を省略することができる。
【００９３】
また、上記実施形態では、本システム１の電源がＯＮ状態とされた直後であって、第１増幅回路５の温度がその動作によって上昇していない状態を第１状態、その後、本システム１を動作させた後のタイミングを第２状態とした場合を示したが、第１状態と、第２状態とは、互いに時間タイミングが異なっていれば、よく、一定期間動作させた後を第１状態として、第１補正用電圧値の初期値Ｖｏｆｆ（１）、及び第２補正用電圧値の初期値Ｖｏｎ（１）を取得し、その後の時間タイミングを第２状態として、第１補正用電圧値Ｖｏｆｆ（ｍ）、及び第２補正用電圧値Ｖｏｎ（ｍ）を取得してもよい。
【００９４】
また、上記実施形態では、第１増幅回路５及び第２増幅回路１６を、反転増幅回路として構成した場合を示したが、上記補正装置は、非反転増幅回路に対しても適用することができる。
さらに、上記補正装置は、増幅回路の増幅率が１より大きく設定されている場合の他、増幅率が１より小さく設定されている場合においても適用することができる。
【００９５】
なお、今回開示された実施の形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【符号の説明】
【００９６】
１  電力測定システム
２  電圧検出部
３  電流検出部
４  制御装置
４ａ  取得部
４ｂ  演算部
４ｃ  補正処理部
４ｄ  カウンタ
４ｅ  制御部
５  第１増幅回路
５ａ  入力端子
６  第１基準電源
８  第１スイッチ
９  分岐路
１０  第２スイッチ
１５  電流センサ
１６  第２増幅回路
１６ａ  入力端子
１７  第２基準電源
１８  第３スイッチ
１９  第４スイッチ
２５  温度センサ
３０  記憶部
３１  出力部
４０  オペアンプ
４１  入力抵抗
４２  帰還抵抗
４３  抵抗
４４  分岐路
４５  抵抗
４６  定電圧ダイオード
【図１】
2015169487.tif 000003
【図２】
2015169487.tif 000004
【図３】
2015169487.tif 000005
【図４】
2015169487.tif 000006